(57)【要約】【課題】より短時間に載置された金銭を集めることができる商品販売データ登録処理装置及び釣銭皿を提供する。【解決手段】商品販売データ登録処理装置は、情報を入出力する入出力部と、キーボードと、印字媒体に印字するプリンタと、金銭を載置する載置部及び変位することによって前記載置部に載置された硬貨を前記硬貨の自重により落下させて集める収集部を有する釣銭皿と、を備える。【選択図】図５
2015121950.tif 000002
【特許請求の範囲】
【請求項１】
情報を入出力する入出力部と、
キーボードと、
印字媒体に印字するプリンタと、
金銭を載置する載置部及び変位することによって前記載置部に載置された硬貨を前記硬貨の自重により落下させて集める収集部を有する釣銭皿と、
を備える商品販売データ登録処理装置。
【請求項２】
押圧されることにより前記載置部及び前記収集部を前記収集部が下方になるように斜めに変位させる押圧部をさらに備え、
前記載置部は、
一端において前記収集部と連結し、
前記収集部は、
内部に金銭を集めるための上方に向かって開口する窪みと、
硬貨を通過させる大きさを有し、変位した場合に最下端に位置するように設けられる開口部と、を備える
請求項１記載の商品販売データ登録処理装置。
【請求項３】
前記載置部は、
硬貨を通過させる大きさを有する落下孔を備え、
硬貨を通過させる大きさを有し、変位した場合に前記落下孔に対応する位置に合わさる通過孔と、
前記通過孔から落下した硬貨を収集するスロープをと、
備える受部を前記載置部の下方に備え、
前記収集部は、
内部に上方に向かって開口する窪みを備え、
前記受部の前記スロープの端部に設置される請求項１記載の商品販売データ登録処理装置。
【請求項４】
金銭を載置する載置部と、
変位することによって前記載置部に載置された硬貨を前記硬貨の自重により落下させて集める収集部と、
を有する釣銭皿。
【請求項５】
押圧されることにより前記載置部及び前記収集部を前記収集部が下方になるように斜めに変位させる押圧部をさらに備え、
前記載置部は、
一端において前記収集部と連結し、
前記収集部は、
内部に上方に向かって開口する窪みと、
硬貨を通過させる大きさを有し、変位した場合に最下端に位置するように設けられる開口部と、を備える
請求項４記載の釣銭皿。
【請求項６】
前記載置部は、
硬貨を通過させる大きさを有する落下孔を備え、
硬貨を通過させる大きさを有し、変位した場合に前記落下孔に対応する位置に合わさる通過孔と、
前記通過孔から落下した硬貨を収集するスロープをと、
備える受部を前記載置部の下方に備え、
前記収集部は、
内部に上方に向かって開口する窪みを備え、
前記受部の前記スロープの端部に設置される請求項４記載の釣銭皿。
【発明の詳細な説明】
【技術分野】
【０００１】
本発明の実施形態は、商品販売データ登録処理装置及び釣銭皿に関する。
【背景技術】
【０００２】
いわゆるＰＯＳ（Ｐｏｉｎｔ  ｏｆ  ｓａｌｅｓ）システムなどの商品販売データ登録処理装置は、顧客からの金銭を受け取る釣銭皿を備える。
【０００３】
従来の釣銭皿は、商品販売データ登録処理装置の設置台に固定されていた。従って、オペレータは顧客が釣銭皿に載置した金銭を指によってかき集めなければならなかった。このかき集め動作は一取引の決済にかかる時間の短縮の障害となっていた。
【先行技術文献】
【特許文献】
【０００４】
【特許文献１】特開２０００−１１３２８６号公報
【発明の概要】
【発明が解決しようとする課題】
【０００５】
従って、より短時間に載置された金銭を集めることができる商品販売データ登録処理装置及び釣銭皿が求められている。
【課題を解決するための手段】
【０００６】
上記の課題を解決するために、本発明の一実施形態は、商品販売データ登録処理装置は、情報を入出力する入出力部と、キーボードと、印字媒体に印字するプリンタと、金銭を載置する載置部及び変位することによって前記載置部に載置された硬貨を前記硬貨の自重により落下させて集める収集部を有する釣銭皿と、を備える商品販売データ登録処理装置を提供する。
【図面の簡単な説明】
【０００７】
【図１】商品販売データ登録処理装置の外観斜視図である。
【図２】商品販売データ登録処理装置の構成を示すブロック図である。
【図３】第１の実施形態に係る釣銭皿の平面図である。
【図４】第１の実施形態に係る釣銭皿の側面図である。
【図５】第１の実施形態に係る釣銭皿の動作状態を示す図である。
【図６】第２の実施形態に係る釣銭皿の平面図である。
【図７】第２の実施形態に係る釣銭皿の側面図である。
【図８】第２の実施形態に係る釣銭皿の動作状態を示す図である。
【図９】第１の実施形態の釣銭皿又は第２の実施形態の釣銭皿を備える登録処理装置の例を示す図である。
【発明を実施するための形態】
【０００８】
以下、商品販売データ登録処理装置及び釣銭皿の一実施形態について、図面を用いて詳細に説明する。
【０００９】
本実施形態の商品販売データ登録処理装置は、商品販売データ登録処理装置は、情報を入出力する入出力部と、キーボードと、印字媒体に印字するプリンタと、金銭を載置する載置部及び変位することによって前記載置部に載置された硬貨を前記硬貨の自重により落下させて集める収集部を有する釣銭皿と、を備える。
【００１０】
図１は、商品販売データ登録処理装置１（以下、登録処理装置１と言う。）の外観斜視図である。図１に示すように、登録処理装置１は、本体部１０１と、タッチパネル等の入出力装置であるオペレータ側入出力装置１２Ａと、顧客側に向けられるタッチパネル等の入出力装置である客面入出力装置１２Ｂと、レシートを発行するプリンタ１２Ｃと、カードリーダ１０２と、キーボード１０３と、ドロワなどの入出金装置１０４と、釣銭皿２０１と、を備える。
【００１１】
登録処理装置１はさらに、商品のバーコード又は商品をスキャンするスキャナを備える。
【００１２】
以下、オペレータ側入出力装置１２Ａ及び客面入出力装置１２Ｂを入出力部１２と呼ぶ。
【００１３】
オペレータはスキャナによって商品を順次スキャンする。オペレータがキーボード１０３の小計キーを押下すると登録処理装置１は一取引の小計を計算する。登録処理装置１は顧客からの預り金の入力が入出金装置１０４を介してあった場合、つり銭の計算を行い、つり銭を入出金装置１０４から出金させて一取引を終了させる。
【００１４】
金銭の受け渡しの際、顧客は釣銭皿２０１に預かり金を載置し、オペレータはこの預かり金を釣銭皿２０１から集め、入出金装置１０４に投入する。
【００１５】
入出金装置１０４が排出した釣銭は、オペレータによって釣銭皿２０１に載置され、顧客によって受け取られる。
【００１６】
図２は、登録処理装置１の構成を示すブロック図である。図２に示すように、登録処理装置１は、演算装置であるＣＰＵ（Ｃｅｎｔｒａｌ  ｐｒｏｃｅｓｓｉｎｇ  ｕｎｉｔ）を含む制御部１１と、情報を入出力する入出力部１２と、情報通信を行う通信部１３と、メモリ、ハードディスクドライブ等の記憶装置を含む記憶部１４と、入出金装置１０４と、を備える。
【００１７】
記憶部１４は、商品毎に固有に割り当てられる識別子である商品コード毎に単価及び販売に際して特定の資格を有する者の説明が必要か否かを格納する商品マスタ１４Ａと、特定の資格を有する者の説明があったか否かを含む一取引の内容を格納するトランザクションファイル１４Ｂと、を格納する。
【００１８】
登録処理装置１は、通信部１３を介してストアコントローラ等の管理装置２と通信してもよい。なお、小規模な店舗においては登録処理装置１を兼ねる管理装置２が設置されることもある。
【００１９】
管理装置２は、演算装置であるＣＰＵを含む制御部２００と、情報を入出力する入出力部２０２と、情報通信を行う通信部２０３と、メモリ、ハードディスクドライブ等の記憶装置を含む記憶部２０４と、を備える。
【００２０】
記憶部２０４は、商品毎に固有に割り当てられる識別子である商品コード毎に単価を格納する商品マスタ２０４Ａを格納する。
【００２１】
登録処理装置１は、一取引内の商品に対応する商品コードが商品マスタ１４Ａにない場合、管理装置２の商品マスタ２０４Ａから該当するデータを読み出して商品マスタ１４Ａに格納し、一取引の処理を行う。
【００２２】
管理装置２は、商品マスタ２０４Ａに格納されているデータに変更があった場合、該当するデータを  登録処理装置１に送信する。登録処理装置１は受信したデータに基づいて商品マスタ１４Ａを更新する。
【００２３】
（第１の実施形態）
図３は、本実施形態に係る釣銭皿２０１の平面図である。図３に示すように、釣銭皿２０１は、平面状に形成される載置部２０１Ａと、半球面状に形成され、載置部２０１Ａの端部に設けられる収集部２０１Ｂと、を備える。
【００２４】
載置部２０１Ａは、表面に複数のリブを備えていてもよい。
【００２５】
収集部２０１Ｂは、内部に金銭を集めるための上方に向かって開口する窪みと、硬貨を通過させる大きさを有し、釣銭皿２０１が回動した場合に最下端に位置するように設けられる開口部２０１Ｃと、を有する。
【００２６】
図４は、釣銭皿２０１の側面図である。また、図５は、釣銭皿２０１の動作状態を示す図である。
【００２７】
図４及び図５に示すように、釣銭皿２０１は、登録処理装置１を載せる台に設けられる支柱３１０、入出金装置１０４、又は登録処理装置１に回動中心３０７によって回動可能に取り付けられる。
【００２８】
釣銭皿２０１は、開口部２０１Ｃを開閉する閉塞部３０１と、閉塞部３０１を回動可能に支持する押圧部３０２と、押圧部３０２及び載置部２０１Ａを連結する連結アーム３０４と、を備える。
【００２９】
連結アーム３０４は、載置部２０１Ａの回動中心３０７より収集部２０１Ｂの反対方向に回動可能に取り付けられる。
【００３０】
釣銭皿２０１は、連結アーム３０４を載置部２０１Ａの方向に付勢する第１のスプリング３０５と、連結アーム３０４を押圧部３０２の方向、すなわちオペレータの方向に付勢する第２のスプリング３０６と、閉塞部３０１を収集部２０１Ｂの方向に付勢する第３のスプリング３０３と、を備える。
【００３１】
第１のスプリング３０５は、一端が載置部２０１Ａに連結し、他端が連結アーム３０４に連結する。
【００３２】
第２のスプリング３０６は、一端が支柱３１０、入出金装置１０４、又は登録処理装置１に連結し、他端が連結アーム３０４に連結する。
【００３３】
第３のスプリング３０３は、連結アーム３０４と押圧部３０２との接続部分に設けられ、押圧部３０２を矢印Ｘ１の方向に付勢する。
【００３４】
押圧部３０２を矢印Ｘ２の方向に手によって押圧すると、図５に示すように連結アーム３０４が釣銭皿２０１を収集部２０１Ｂが下方に変位する方向に回動させる。
【００３５】
この際、載置部２０１Ａに載置された硬貨は収集部２０１Ｂに自重により滑り落ちる。開口部２０１Ｃは釣銭皿２０１が回動した場合に最下端に位置するように設けられるため、硬貨は矢印Ｘ３に示すように開口部２０１Ｃからオペレータ又は顧客の手の中に落ちる。
【００３６】
押圧部３０２から手を離すと、第１のスプリング３０５、第２のスプリング３０６、及び第３のスプリング３０３により、釣銭皿２０１は元の位置に変位する。
【００３７】
従って、より短時間に載置された金銭を集めることができるという効果がある。
【００３８】
（第２の実施形態）
図６は、本実施形態に係る釣銭皿２０１の平面図である。図６に示すように、釣銭皿２０１は、平面状に形成される載置部２０１Ａと、半球面状に形成され、載置部２０１Ａの下方に摺動可能に設けられる受部６０１と、を備える。
【００３９】
載置部２０１Ａは、表面に複数のリブを備えていてもよい。載置部２０１Ａは、硬貨を通過させる大きさを有する落下孔２０１Ｄを備える。落下孔２０１Ｄは、一つでも複数でもよい。図６の例においては、載置部２０１Ａは落下孔２０１Ｄを６個備える。
【００４０】
図７は、釣銭皿２０１の側面断面図である。また、図８は、釣銭皿２０１の動作状態を示す側面断面図である。
【００４１】
図７及び図８に示すように、釣銭皿２０１は、登録処理装置１を載せる台に設けられる支柱３１０、入出金装置１０４、又は登録処理装置１に取り付けられる。
【００４２】
受部６０１は、硬貨を通過させる大きさを有する通過孔６０１Ａと、通過孔６０１Ａから落下した硬貨を収集するスロープ６０１Ｂと、内部に金銭を集めるための上方に向かって開口する窪みを有する収集部６０１Ｃと、を備える。
【００４３】
受部６０１は、受部６０１を矢印Ｙに示す収集部６０１Ｃの方向、すなわちオペレータの方向に付勢する第４のスプリング６０２を備える。第４のスプリング６０２は、一端が支柱３１０、入出金装置１０４、又は登録処理装置１に連結し、他端が受部６０１に連結する。
【００４４】
受部６０１に力が加えられていない場合、落下孔２０１Ｄは受部６０１によって塞がれている。
【００４５】
図８に示すように、受部６０１に奥側、すなわち図８において矢印Ｘ４に示す方向に力が加えられると、受部６０１は摺動して変位する。
【００４６】
この際、落下孔２０１Ｄの位置と通過孔６０１Ａの位置とが一致するため、硬貨は自重により矢印Ｘ５の方向に落下する。
【００４７】
そして、落下した硬貨は収集部６０１Ｃに集まり、容易に取り出すことができる。
【００４８】
力を加えることをやめると、第４のスプリング６０２によって、受部６０１は元の位置に戻る。
【００４９】
従って、さらに容易に迅速に硬貨を取り出すことが可能となる。
【００５０】
図９は、第１の実施形態の釣銭皿２０１又は第２の実施形態の釣銭皿２０１を備える登録処理装置１の例を示す図である。
【００５１】
図９に示すように、登録処理装置１は釣銭皿２０１を、一体として備えていてもよいし、釣銭皿２０１を別体に形成し、登録処理装置１に設置してもよい。
【００５２】
以上述べたように、本実施形態の商品販売データ登録処理装置は、情報を入出力する入出力部１２と、キーボードと、印字媒体に印字するプリンタ１２Ｃと、金銭を載置する載置部２０１Ａ及び変位することによって載置部２０１Ａに載置された硬貨を集める収集部２０１Ｂを有する釣銭皿２０１と、を備える。
【００５３】
従って、より短時間に載置された金銭を集めることができるという効果がある。
【００５４】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５５】
１：登録処理装置
２０１：釣銭皿
２０１Ａ：載置部
２０１Ｂ：収集部
【図１】
2015121950.tif 000003
【図２】
2015121950.tif 000004
【図３】
2015121950.tif 000005
【図４】
2015121950.tif 000006
【図５】
2015121950.tif 000007
【図６】
2015121950.tif 000008
【図７】
2015121950.tif 000009
【図８】
2015121950.tif 000010
【図９】
2015121950.tif 000011